【手続補正書】
【提出日】平成21年12月1日(2009.12.1)
【手続補正１】
【補正対象書類名】明細書
【補正対象項目名】０００３
【補正方法】変更
【補正の内容】
【０００３】
これに対して、どちらの方向からも剥すことが可能である開封片を備えたラップフィルム収納紙箱として切り取り線に図３に示した切れ目を採用し、開封片を剥す際の引き裂きが必ず次の切れ目の屈曲した左端部または右端部に捕まって、断続的な切れ目線を次々に確実に左方又は右方から引き裂いて切断することができると開示されている（特許文献１）。しかしながら、開示されている切れ目形状では引き裂きが必ず次の切れ目に捕まるとは言い難く、開封方向、すなわち開封片の引っ張り方向がやや掩蓋片寄りになった場合、掩蓋片の板紙に層間剥離が発生し、外観が悪化する場合がある。また、開封方向がやや底板寄りになった場合、開封片が開封動作の途中でちぎれてしまう場合がある。しかしながら、このようなトラブルは切れ目間の距離を短くする、すなわち掩蓋片と開封片のつなぎ部の長さを短くすることで回避できると推測される。
【手続補正２】
【補正対象書類名】明細書
【補正対象項目名】００１３
【補正方法】変更
【補正の内容】
【００１３】
本発明について、好ましい実施態様を中心に説明する。
図２は、本発明のラップフィルム収納箱の開封片の切れ目形状を示している。切れ目形状は、基本的に主切れ目１３と補助切れ目１４から成る左右対称形状を有しており、この左右対称形状の間に傾斜した補助切れ目１５を設ける。従って、掩蓋片６と開封片８を繋ぐつなぎ部１６は傾斜した補助切れ目１５が１箇所につき両端に２箇所設けられることになる。
【手続補正３】
【補正対象書類名】明細書
【補正対象項目名】００１４
【補正方法】変更
【補正の内容】
【００１４】
本発明のラップフィルム収納箱に採用する切り取り線７は上記した３種の切れ目から構成されるが、その役割は次の通りである。すなわち、主切れ目１３は掩蓋片６と開封片８との分離を容易にさせるため、長手方向に長い切れ目を有している。主切れ目１３の両端に接して設けられた主切れ目の端部とは傾斜の向きが逆である補助切れ目１４と傾斜した補助切れ目１５は開封の自由度とつなぎ部１６の強度を付与するために配置させている。つまり、図３に示した切り取り線の場合、開封時のつなぎ部の破れは基本的に収納箱の長手方向と平行な方向しか許容されず（図面の下方向は若干許容される）、各切れ目の端部を結ぶ仮想線Ｔも収納箱の長手方向と平行なので、つなぎ部の長さの取り方にもよるが、開封片部分（特に先端部）に衝撃を受けるとつなぎ部の部分を起点に折れ曲がりが発生する可能性がある。一方、図４に示した切り取り線の場合、開封の方向は図を正面に見て右側から左側の方向に限定されるが、つなぎ部の破れは、傾斜した切れ目の先端部から縦方向への切れ目のどこかに達すればよいので、開封開始側が限定される問題はあるが、開封の自由度は大きい。加えて、各切れ目の先端部を結ぶ仮想線Ｕを複数作成できるが、何れの場合でもつなぎ部を通る仮想線が収納箱の長手方向と平行にはならないので、開封片部分に衝撃を受けてもつなぎ部の部分を起点にした折れ曲がりが発生し難い。
【手続補正４】
【補正対象書類名】明細書
【補正対象項目名】００１６
【補正方法】変更
【補正の内容】
【００１６】
本発明のラップフィルム収納箱の開封片８は上記各切れ目からなる切り取り線７に沿って引き剥がされるが、傾斜した補助切れ目１５の両側に形成されるつなぎ部の数が少ないと、鋸刃装着工程において開封片の端８’がストッパーに衝突した際、開封片が上記つなぎ部の配置位置に沿って折れ曲がる可能性が高まる。一方で、配置するつなぎ部の数が多いと、開封時にちぎらなければならない箇所が多くなり、開封のスムーズさが損なわれる。これらを考慮し、長手方向の長さが約３００ｍｍのラップフィルム収納箱に対しては、つなぎ部を１６〜２４箇所（すなわち、傾斜した補助切れ目１５を８〜１２箇所）設けることが望ましい。さらに、つなぎ部１６の長さに関しては、この長さが短すぎると、つなぎ部１６の強度が著しく低下するため、鋸刃装着肯定のストッパーに衝突した際に開封片がつなぎ部の配置位置に沿って折れ曲がりやすい上、僅かな衝撃でちぎれてしまうことが懸念される。一方でこの長さが長いほどつなぎ部がちぎれにくい、すなわち開封片を剥しにくくなる。従って、つなぎ部１６の長さは１．０〜１．５ｍｍが望ましく、１．１〜１．３ｍｍとすることがさらに望ましい。また、つなぎ部１６の長さは全てのつなぎ部において統一した長さとする必要はなく、つなぎ部を配置させる位置によって長さが異なっていてもかまわない。
【手続補正５】
【補正対象書類名】明細書
【補正対象項目名】００１７
【補正方法】変更
【補正の内容】
【００１７】
本発明のラップフィルム収納箱に採用する主切れ目１３の両端部および補助切れ目１４のそれぞれの傾斜角度に関しては、開封片を剥す際の操作のスムーズさを考慮し、主切れ目１３両端部の傾斜角度θ１は１０〜６０°、補助切れ目１４の傾斜角度θ２は３０〜７０°とするのが望ましい。尚、主切れ目１３の全長については、収納箱の長さや必要とするつなぎ部の個数、内容物の重量等を考慮して適宜選択すればよいが、概ね１０〜３５ｍｍの範囲から選択することが望ましい。補助切れ目１４の全長についても収納箱や開封片の幅等を考慮して適宜選択すればよいが、概ね３〜５ｍｍの範囲から選択することが望ましい。
【手続補正６】
【補正対象書類名】明細書
【補正対象項目名】００１９
【補正方法】変更
【補正の内容】
【００１９】
さらに、開封の最終端側の傾斜した補助切れ目１５が底板２方向に傾斜している場合は（例えば第１番方向から開封を開始し、第ｎ番が右下がりの傾斜となる場合）、開封最終端側のつなぎ部から小さな帯状、又はひも状の紙片残りが発生して外観を悪化させる場合が稀に発生するので、第１、第２の傾斜した補助切れ目１５においては左上がり、第３〜第ｎ−２の傾斜した補助切れ目１５においては傾斜の向きが交互になるように配置し、第ｎ−１、第ｎの傾斜した補助切れ目１５においては右上がりとすることが更に望ましい。さらに、傾斜した補助切れ目１５の長さに関しては、上述したつなぎ部の個数を考慮し、２〜８ｍｍが望ましい。また、傾斜した補助切れ目１５の位置に関しては、傾斜した補助切れ目１５を極端に蓋板５寄りに設けると、主切れ目１３の位置と離れるため、開封片を剥す際に不連続性が高まりスムーズに開封片を剥せない可能性がある上、開封片を剥した後に現れる鋸刃の露出部分が大きくなり、外観が損なわれるという問題がある。
【手続補正７】
【補正対象書類名】明細書
【補正対象項目名】００２１
【補正方法】変更
【補正の内容】
【００２１】
本発明のラップフィルム収納箱において、使用開始前まで開封片８は前記収納箱の前板１に糊材等で接着されているが、この接着方法は開封片と重なる前板部分に糊材と強く接着させるための円形状や楕円形状等のニス非塗布部分Ｓを複数箇所設け、開封後に開封片の裏面側表層が前板上のニス非塗布部分周辺に残る方法（点付け法）、左記ニス非塗布部分周囲に剥離用の半切れを付与し、開封後に半切れ付与部が剥離する方法（玉抜け法）、又はニス非塗布部と重なる開封片にニス非塗布部と相似拡大形状のミシン目等で囲まれた刳り貫き部１０を付与し、開封後にそのミシン目等で囲まれた部分がそのまま前板上に残る方法（刳り貫き法）など、公知の方法を採用すれば良いが、どちらの方向からも開封可能とするため、左右対称形状を採用することが望ましい。
【手続補正８】
【補正対象書類名】明細書
【補正対象項目名】００２４
【補正方法】変更
【補正の内容】
【００２４】
［実施例１］
図１に示したラップフィルム収納箱の展開図において、主切れ目１３の全長が２６ｍｍ（両端の傾斜部は各々２ｍｍ）でθ１が３０°、補助切れ目１４の全長が４ｍｍでθ２が４５°、傾斜した補助切れ目１５の収納箱の長手方向に水平な全長が３ｍｍでθ３が９°であり、その中間点が隣合う補助切れ目１４下端との仮想線上に位置しており、つなぎ部の長さが１．２ｍｍとした切り取り線７を付与し（掩蓋片の長手方向は３１４ｍｍでつなぎ部は全部で２０箇所）、開封片８には０．５ｍｍのつなぎ目（ニック）を４箇所付与した長手方向１０ｍｍ、縦方向５．５ｍｍの俵型切れ目からなる刳り貫き部を前板１に設けたニス非塗布部Ｓと対応する位置に４箇所配置させた。尚、ここで開封片８を正面から見て向かって左端の傾斜した補助切れ目１５から順に第１、第２、・・・、第９、第１０と番号をつけた場合に、第１の傾斜した補助切れ目１５を左上がりの傾斜、第２の傾斜した補助切れ目１５を右上がりの傾斜、第３の傾斜した補助切れ目１５を左上がりの傾斜、・・・、第１０の傾斜した補助切れ目１５を右上がりの傾斜、というように傾斜の向きが交互になるように配置させた。
このカートンブランクには坪量約４５０ｇ／ｍ2 （厚み約０．５６ｍｍ）のコートボール紙を採用し、その長手方向各面を折り曲げて開封片８を前板１上に糊材（日本エヌエスシー社製インスタントロック）で貼り付け、その後側面部も糊材で貼り付けて直方体状のラップフィルム収納箱を組み立てた。
【手続補正９】
【補正対象書類名】明細書
【補正対象項目名】００３１
【補正方法】変更
【補正の内容】
【００３１】
［比較例５］
切り取り線に図３で示す切れ目形状を採用した。切れ目の全長は１７ｍｍで、隣合う切れ目間のつなぎ部長さは１．５ｍｍとした。その他の形状（設計）は図１の設計に準じたラップフィルム用収納箱を組み立てた。
【手続補正１０】
【補正対象書類名】明細書
【補正対象項目名】００３２
【補正方法】変更
【補正の内容】
【００３２】
[評価方法]
各実施例と比較例で示したカートンブランクに金属製の鋸刃を装着する工程において、開封片の端８’が工程内でストッパーに衝突した時、開封片８に曲がりやつなぎ部ちぎれが発生する頻度が１０００枚中５枚未満である場合を合格として「○」の評価、５枚以上発生する場合は「×」の評価とした。
次に、各実施例と比較例で示したカートンブランクを直方体状の収納箱に組み立て、左右方向から各々５０回ずつ、前板に対して開封片がほぼ垂直を保つような動作で開封し、開封片の途中ちぎれや掩蓋片の層間剥離が全く発生しないものを「○」の評価、１回でも左記が発生したものを「×」の評価とし、その結果を表１に示した。
【手続補正１１】
【補正対象書類名】明細書
【補正対象項目名】００３４
【補正方法】変更
【補正の内容】
【００３４】
実施例１〜３のラップフィルム収納箱では、鋸刃装着時の折れ曲がりや開封片の途中ちぎれが全く発生せず、生産性や使い勝手性に全く影響のないものであった。これに対し、比較例１では傾斜した補助切れ目１５が傾斜していないので、鋸刃装着時に開封片の折れ曲がりが発生し易く、つなぎ部の長さが短い比較例２では鋸刃装着時につなぎ部のちぎれも多く発生した。比較例３ではつなぎ部の長さを長くしたので、鋸刃装着時のトラブルは解消できたが、開封片と掩蓋片のつなぎが強固であるため、開封時に開封片のちぎれが発生した。比較例４の設計では傾斜した補助切れ目１５が存在するので、鋸刃装着時のトラブルは発生しなかったが、補助切れ目１４が存在せず、開封方向の自由度が小さくなったので、開封片の途中ちぎれが発生した。比較例５の設計では、つなぎ部の強度は弱く、開封方向の自由度も小さいので、鋸刃装着時の折れ曲がりや開封片の途中ちぎれの両方が発生した。
【手続補正１２】
【補正対象書類名】明細書
【補正対象項目名】００３５
【補正方法】変更
【補正の内容】
【００３５】
尚、評価結果には表していないが、実施例２のように開封片８を正面に見て左端の傾斜した補助切れ目１５が右上がりで、右端が左上がりの場合、開封終了側の端部つなぎ部に帯状又はひも状の紙片が残る場合がある。この紙片はラップのカット等の使い勝手性に何ら影響を及ぼさないが、見た目の問題もあるので、傾斜した補助切れ目１５の傾斜は実施例１や３のように、左端側では左上がり１個又は２個、右端側では右上がりが１個又は２個設置することがさらに望ましい。
【手続補正１３】
【補正対象書類名】明細書
【補正対象項目名】００３７
【補正方法】変更
【補正の内容】
【００３７】
【図１】本発明のラップフィルム収納箱の展開図である。
【図２】本発明のラップフィルム収納箱の開封用切り取り線の一部の拡大図である。
【図３】従来の開封用切り取り線の拡大図である。
【図４】従来の開封用切り取り線の別の例の拡大図である。
【手続補正１４】
【補正対象書類名】明細書
【補正対象項目名】００３８
【補正方法】変更
【補正の内容】
【００３８】
１：前板
２：底板
３：後板
４：脇板
５：蓋板
６：掩蓋片
７：切り取り線
８：開封片
８’：開封片の端
９：掩蓋片脇板
１０：刳り貫き部
１１：収納室
１２：蓋体
１３：主切れ目
１４：補助切れ目
１５：傾斜した補助切れ目
１６：つなぎ部
Ａ  ：巻き戻り防止手段
Ｂ  ：飛び出し防止手段
Ｓ  ：ニス非塗布部分
Ｐ  ：補助切れ目１４の蓋板５側端を結ぶ仮想線
Ｑ  ：主切れ目１３の水平部分を延長した仮想線
Ｔ  ：従来の切れ目間の両端を結ぶ仮想線
Ｕ  ：別の従来の切れ目間の両端を結ぶ仮想線
θ１：主切れ目１３両端部の傾斜角度
θ２：補助切れ目１４の傾斜角度
θ３：傾斜した補助切れ目１５の傾斜角度